(57)【要約】【課題】微量液滴秤取体積の制約が少なく、秤取の際に取り残される液滴量を少なくすることができ、さらに量の異なる微量液滴を混合する際の混合比を１０倍を超えるような大比率の混合にも好適に用いることができる、微量液滴秤取構造を提供する。【解決手段】基材内に微量液滴が流される流路を備え、該流路が、微量液滴及び気体が供給される導入口２に一端が接続されており、他端が排出口３に接続された第１の流路４と第１の流路４の途中の第１の分岐部６と、第１の分岐部６よりも下流側であって、排出口３よりも上流側に位置している第２の分岐部７とを結び、かつガス選択性流路からなる第２の流路５とを備え、第１の分岐部６と第２の分岐部７とを結ぶ第１の流路部分４Ａの容積が、秤取すべき微量液滴の体積と等しくされている、微量液滴秤取構造１。【選択図】図１
2011257238.tif 000002
【特許請求の範囲】
【請求項１】
微量液滴を秤取するための構造であって、
基材と、基材内に設けられた流路とを備え、
前記流路が、液滴及び気体が供給される導入口に一端が接続されており、他端が排出口に接続されている第１の流路と、
前記第１の流路の途中の第１の分岐部と、前記第１の分岐部よりも第１の流路の下流側に位置している第２の分岐部とを結び、ガス選択性流路からなる第２の流路とを備え、
前記第１の分岐部と第２の分岐部とを結ぶ第１の流路部分の容積が、秤取すべき微量液滴の体積と等しくされている、微量液滴秤取構造。
【請求項２】
前記第１の分岐部から第２の分岐部に至る第１の流路部分の流路長が、前記第２の流路の流路長の２倍よりも長く、１０００倍よりも短い、請求項１に記載の微量液滴秤取構造。
【請求項３】
前記第１の分岐部と前記第２の分岐部との間の第１の流路部分の途中に第３の分岐部が設けられており、第３の分岐部に第３の流路の一端が接続されており、該第３の流路がラプラスバルブを有する、請求項１または２に記載の微量液滴秤取構造。
【請求項４】
前記ラプラスバルブが、流路の水力相当直径が４０μｍ以下とされている細絞流路からなる、請求項３に記載の微量液滴秤取構造。
【請求項５】
前記第２の流路の途中に設けられており、第２の流路を開閉するバルブをさらに備える、請求項１に記載の微量液滴秤取構造。
【請求項６】
前記第１の流路及び／または第２の流路において、横断面の面積が流路の長さ方向に沿った変化率の絶対値が２０％以上である部分を含んでいる、請求項１〜５のいずれか１項に記載の微量液滴秤取構造。
【請求項７】
請求項１〜６のいずれか１項に記載の微量液滴秤取構造の前記排出口の下流側に、請求項１〜６のいずれか１項に記載のもう１つの微量液滴秤取構造の導入口が連結されている、微量液滴秤取構造。
【請求項８】
前記排出口に接続された排気流路をさらに備える、請求項１〜７のいずれか１項に記載の微量液滴秤取構造。
【請求項９】
微量液滴混合部をさらに備え、微量液滴混合部に少なくとも２つの微量液滴秤取構造が連結されており、該少なくとも２つの微量液滴秤取構造のうちの少なくとも１つの微量液滴秤取構造が、請求項１〜８のいずれか１項に記載の微量液滴秤取構造であり、上記微量液滴混合部における少なくとも２つの微量液滴秤取構造から供給される複数の成分のうち、最も少ない成分と、最も多い成分の体積比が１対１０以上である、請求項１〜８のいずれか１項に記載の微量液滴秤取構造。
【請求項１０】
請求項１〜９のいずれか１項に記載の微量液滴秤取構造が備えられたマイクロ流体デバイス。
【請求項１１】
請求項１〜９のいずれか１項に記載の微量液滴秤取構造を用いた微量液滴秤取方法であって、
前記導入口から前記第１の流路に、前記第１の分岐部から第２の分岐部に至る第１の流路部分の容積よりも大きな体積の微量液滴をガス圧により導入するステップと、
前記導入された微量液滴の後端が前記第１の分岐部に至った後に、前記排出口を閉塞するステップと、
前記第１の分岐部から第２の分岐部の間の第１の流路部分に貯留されている前記微量液滴を前記第３の流路から排出するステップとを備える、微量液滴秤取方法。
【発明の詳細な説明】
【技術分野】
【０００１】
本発明は、マイクロ流体と称されている微量液滴を所定量秤取するための微量液滴秤取構造に関し、より詳細には、ガス圧の制御により、微量液滴を定量秤取することを可能とする微量液滴秤取構造、該微量液滴秤取構造を備えたマイクロ流体デバイス及び微量液滴秤取方法に関する。
【背景技術】
【０００２】
近年、検体分析やコンビナトリアル化合物合成において、微量液体制御機構を備えたマイクロ流体デバイスが注目されている。マイクロ流体デバイスは、例えば手で容易に取り扱い得る程度の大きさの基板を用いて構成されている。基板内に、検体、試薬または希釈液などを搬送する微細流路構造が形成されている。また、この微細流路構造には、試薬収納部、検体供給部、希釈液収納部、反応室、混合部、送液機構または検出部などが必要に応じて適宜設けられている。
【０００３】
上記基板の典型的な厚みは０．５〜１０ｍｍ程度である。また上記基板の平面積は数百ｃｍ２以下である。
【０００４】
上記微細流路構造の流路幅は、通常３μｍ〜５ｍｍ程度と非常に細い。このような微細流路内を、微量液滴すなわちマイクロ流体が搬送されることとなる。
【０００５】
このようなマイクロ流体デバイスは、血液、髄液、涙または唾液などのヒトや動物の体液、排泄物、組織片からの分解抽出物、海水及び淡水、土壌抽出液、農産物、水産物もしくは加工食品などの抽出液、並びに自然科学研究、バイオケミストリー研究に使用される液体試料を検体として用いる検出・定量測定に使用される。また、結晶化条件の探索や、化学反応条件の探索、一連の関連化合物を系統的に合成するコンビナトリアルケミストリーにも用いられる。マイクロ流体デバイスで正確な結果を得るには、使用する検体や試薬をマイクロ流体デバイス内において定量的に取り扱う必要がある。そのため、マイクロ流体デバイスに用いられる様々な微量液滴秤取構造が提案されている。
【０００６】
下記の特許文献１には、所定方向に延びる第１の流路及び第２の流路と、第１の流路及び第２の流路のそれぞれの流路壁に開口しており、第１の流路と第２の流路とを連結する第３の流路とを有する微量液体秤取構造が開示されている。ここでは、第３の流路は、第１の流路及び第２の流路よりも細くされている。第１の流路に導入された液体が、第１の流路から第３の流路に毛細管現象により引き込まれ、しかる後、第１の流路に残留している液体が取り除かれる。従って、第３の流路の容積に応じた体積の微量液滴を秤取することができる。
【０００７】
下記の特許文献２には、微細な流路すなわちマイクロチャネル構造を有するマイクロチップにおける微量液滴秤取構造が開示されている。ここでは、液体を受け取るための受取容積部となる第１の流路と、第１の流路に液体を送り出すための送出容積部となる第２の流路と、第１の流路と第２の流路とを連結している第３の流路とが設けられている。第３の流路は、第１及び第２の流路よりも細くされている。第１の流路の横断面の面積に対する横断面の周囲長の比率と、第２の流路の横断面の面積に対する該横断面の周囲長の比率がほぼ等しくされており、第３の流路の横断面の面積に対する該横断面の周長の比率が第２の流路における当該比率の２倍以上、１０倍以下とされている。
【０００８】
特許文献１や特許文献２に記載の微量液体秤取構造では、微量液滴を駆動するガスの流入のオン／オフを調整するだけで、微量液滴を正確に秤取することができるとされている。
【先行技術文献】
【特許文献】
【０００９】
【特許文献１】特開２００２−３５７６１６号公報
【特許文献２】特許第３７８２７９６号公報
【発明の概要】
【発明が解決しようとする課題】
【００１０】
しかしながら、特許文献１に記載の微量液滴秤取構造では、毛管現象により導かれる程度の量の微量液滴しか秤取することができなかった。すなわち、毛管現象により引き込むことができる量を超える体積の微量液滴を秤取することができなかった。
【００１１】
他方、特許文献２に記載の微量液滴秤取構造では、秤取される微量液滴と同量以上の液体が第１の流路に残存するという問題があった。そのため、例えば２成分の混合液を得ようとした場合、多い方の液滴の体積の少ない方の液滴の体積に対する比である混合比が１０倍以上であるような大比率の混合は困難であった。加えて、第１の流路に多くの液滴が残存するため、無駄な試料が必要であり、微量な試料を用いて高精度に分析を行うことができなかった。
【００１２】
本発明の目的は、上述した従来技術の現状に鑑み、微量液滴秤取体積の制約が少なく、かつ秤取の際に取り残される液滴量を少なくすることができ、さらに、量の異なる微量液滴を混合する際の混合比１０倍を超えるような大比率の混合の場合においても好適に用いることができる、微量液滴秤取構造、該微量液滴秤取構造を備えたマイクロ流体デバイス及び微量液滴秤取方法を提供することにある。
【課題を解決するための手段】
【００１３】
本発明に係る微量液滴秤取構造は、微量液滴を秤取するための構造であって、基材と、基材内に設けられた流路とを備え、前記流路が、液滴及び気体が供給される導入口に一端が、排出口に他端が接続された液滴を搬送できる第１の流路と、前記第１の流路の途中の第１の分岐部と、前記第１の分岐部よりも第１の流路の下流側に位置している第２の分岐部とを結び、ガス選択性流路からなる第２の流路とを備え、前記第１の分岐部と第２の分岐部とを結ぶ第１の流路部分の容積が、秤取すべき微量液滴の体積と等しくされている。
【００１４】
本発明に係る微量液滴秤取構造のある特定の局面では、前記第１の分岐部から第２の分岐部に至る第１の流路部分の流路長が、前記第２の流路の流路長の２倍よりも長く、１０００倍よりも短い。
【００１５】
本発明に係る微量液滴秤取構造の他の特定の局面では、前記第１の分岐部と前記第２の分岐部との間の第１の流路部分の途中に第３の分岐部が設けられており、第３の分岐部に第３の流路の一端が接続されており、該第３の流路がラプラスバルブを有する。従って、第１の分岐部と第１の分岐部との間の第１の流路部分に微量液滴を満たした後、導入口もしくは排出口の一方を閉塞し、閉塞していない他方の排出口もしくは導入口からガス圧を加えることにより、上記流路部分に満たされた微量液滴を第３の流路から速やかに取り出すことができる。
【００１６】
本発明に係る微量液滴秤取構造のさらに他の特定の局面では、前記ラプラスバルブが、流路の水力相当直径が４０μｍ以下とされている細絞流路からなる。この場合には、上記ラプラスバルブを、第３の流路の一部を細絞流路とすることにより容易に形成することができる。
【００１７】
本発明に係る微量液滴秤取構造のさらに別の特定の局面では、前記第２の流路の途中に設けられており、第２の流路を開閉するバルブをさらに備える。この場合には、第３の流路を設けずとも、上記流路部分に微量液滴が出された状態で、第２の流路を閉状態として、導入口からガス圧を加えるだけで、該流路部分に秤取されていた液滴を排出口から取り出すことができる。
【００１８】
本発明に係る微量液滴秤取構造のさらに別の特定の局面では、前記第１の流路は、流路断面積の流路の長さ方向に沿った変化率の絶対値が２０％以上である部分流路を含んでいる。この場合には、前記第１の流路の一部の断面積が広がっているので、短い流路長で大きな体積を秤取することができ、前記第１の流路の内部を液体が流れる際の圧力損失を小さくすることができる。このため、第１の分岐部と第２の分岐部の圧力差が小さくなり、第２の流路へ間違って液体が流入することを防いで、秤取機構の動作をより確実にすることができる。
【００１９】
本発明に係る微量液滴秤取構造では、本発明の微量液滴秤取構造の前記排出口の下流側に、本発明に従って構成されたもう１つの微量液滴秤取構造の導入口が連結されている。この場合には、少なくとも２つの本発明の微量液滴秤取構造が直列に連結されている。すなわち、第１の微量液滴秤取構造の排出口に第２の微量液滴秤取構造の導入口が連結されている。第１の微量液滴秤取構造による第１の秤取の後の秤取残液が第２の微量液滴秤取構造に導入されて第２の秤取が行われるため、複数の微量液滴を効率よく秤取することができる。
【００２０】
本発明に係る微量液滴秤取構造のさらに他の特定の局面では、前記排出口に接続された排気流路がさらに備えられている。
【００２１】
本発明に係る微量液滴秤取構造のさらに他の特定の局面では、微量液滴混合部をさらに備え、微量液滴混合部に少なくとも２つの微量液滴秤取構造が連結されており、該少なくとも２つの微量液滴秤取構造のうちの少なくとも１つの微量液滴秤取構造が、本発明に従って構成された微量液滴秤取構造であり、上記微量液滴混合部における少なくとも２つの微量液滴秤取構造から供給される複数の液滴のうち、最も小さい液滴と、最も大きい液滴の体積比が１対１０以上である。従って、混合比すなわち多い方の液滴の体積の少ない方の液滴の体積に対する比が１０倍を超える混合において正確な混合比で混合することが可能となる。
【００２２】
本発明に係るマイクロ流体デバイスは、本発明に従って構成された微量液滴秤取構造を備えることを特徴とする。よって、本発明に従って、微量液滴を正確にかつ容易に秤取することができるので、マイクロ流体デバイスにおける検出・定量測定等を高精度に行うことが可能となる。
【００２３】
本発明に係る微量液滴秤取方法は、本発明に従って構成された微量液滴秤取構造を用いた微量液滴秤取方法であって、前記導入口から前記第１の流路に、前記第１の分岐部から第２の分岐部に至る第１の流路部分の容積よりも大きな体積の微量液滴をガス圧により導入するステップと、前記導入された微量液滴の後端が前記第１の分岐部に至り、続いて起こる秤取のための部分流路に秤取された液滴から分離された秤取残液が前記排出口からの排出の後に、前記排出口を閉塞するステップと、前記第１の分岐部から第２の分岐部の間の第１の流路部分に貯留されている前記微量液滴をガス圧により前記第３の流路から排出するステップとを備える。
【発明の効果】
【００２４】
本発明に係る微量液滴秤取構造では、第１の流路に導入口から上記第１の分岐部と第２の分岐部とを結ぶ第１の流路部分の容積よりも大きな体積の微量液滴を導入し、ガス圧により移動させ、該微量液滴の後端が第１の分岐部に達すると、ガス選択性流路である第２の流路にガスが流れることになり、第２の分岐部で液滴が分割されて、第１の分岐部と第２の分岐部との間の第１の流路部分に該容積に応じた体積の微量液滴を確実に秤取することができる。従って、比較的簡単な構造で、確実に、所定の体積すなわち第１の分岐部と第２の分岐部とを結ぶ流路部分の容積に応じた体積の微量液滴を秤取することができる。特許文献１では、毛細管現象により引き込むことが可能な量の微量液滴しか秤取することができなかったのに対し、本発明の微量液滴秤取構造では、このような制約もない。従って、毛細管現象により引き込みによる液滴操作では秤取困難な大きな体積の微量液滴を確実に秤取することができる。
【００２５】
加えて、大きな体積の微量液滴を正確にかつ容易に秤取することができるので、最小量の液滴と最大量の液滴との混合比が１０倍を超える大比率混合用途においても、本発明に係る微量液滴秤取構造を好適に適用することができる。すなわち、１０倍を超える上記混合比の場合であっても、多数の微量液滴を容易にかつ高精度に秤取し混合部に供給することができる。
【図面の簡単な説明】
【００２６】
【図１】本発明の第１の実施形態に係る微量液滴秤取構造の原理を説明するための模式的平面図である。
【図２】本発明の第２の実施形態において、第３の流路が第１の流路に接続されている変形例を説明するための模式的平面図である。
【図３】（ａ）〜（ｉ）は、図２に示した微量液滴秤取構造における微量液滴を秤取する工程を説明するための各模式的平面図である。
【図４】（ａ）〜（ｆ）は、本発明の微量液滴秤取構造の第３の実施形態の微量液滴秤取構造を用いた微量液滴秤取方法を説明するための各模式的平面図である。
【図５】（ａ）〜（ｄ）は、本発明の微量液滴秤取構造のさらに他の変形例を説明するための各模式的平面図である。
【図６】タイミング制御機構が備えられた本発明の第４の実施形態に係る微量液滴秤取構造を説明するための模式的平面図である。
【図７】本発明に係る微量液滴秤取構造の第５の実施形態を示し、混合部が備えられた微量液滴秤取構造を示す模式的平面図である。
【図８】本発明に係る微量液滴秤取構造の第６の実施形態を説明するための模式的平面図であり、タイミング制御が自動化された大比率混合を可能とする微量液滴秤取機構を説明するための図である。
【図９】本発明に係る微量液滴秤取構造が備えられたマイクロ流体デバイスの一例を示す模式的平面図である。
【発明を実施するための形態】
【００２７】
以下、本発明の具体的な実施形態を説明することにより、本発明を明らかにする。
【００２８】
図１は、本発明の一実施形態に係る微量液滴秤取構造を説明するための模式的平面図である。
【００２９】
本発明が対象とする微量液滴秤取構造は、微量液滴を所定量秤取するための構造であり、実際には、基材内に微量液滴が送液される流路が構成される。この基材と流路との関係については、後述するマイクロ流体デバイスを例にとり説明する。
【００３０】
図１は、基材内に設けられる本発明の微量液滴秤取構造を示す模式的平面図である。図１に示すように、微量液滴秤取構造１は、導入口２に一端が、排出口３に他端が接続された第１の流路４を有する。導入口２から、微量液滴及びガスが第１の流路４に供給される。
【００３１】
第１の流路４は、液滴を搬送しうる流路である。すなわち、内面が微量液滴であるマイクロ流体を搬送し得る性質の面とされている。第１の流路４の内面全体が親水性であってもよいし、微量液滴の搬送にさしつかえない範囲で一部が撥水処理されていてもよい。この第１の流路の幅は、３０μｍ〜５ｍｍ程度である。なお、第１の流路４の高さも、３０μｍ〜５ｍｍ程度である。また、第１の流路４は、横断面が矩形に限らず、横断面が円形、楕円形、半円形、三角形等の任意形状であってもよい。横断面が円形の場合には、流路直径は３０μｍ〜５ｍｍ程度とすればよい。その他の形状の場合には、流路径は水力相当直径として３０μｍ〜５ｍｍ程度とすればよい。ここで、水力相当直径Ｄｅは、Ｄｅ＝４×(流量断面積)／（流路の濡れ辺長）で定義されるサイズである。水力相当直径は、等価水力直径とも呼ばれる。
【００３２】
第２の流路５は、第１の流路４に設けられた第１の分岐部６と第２の分岐部７とを接続するように設けられている。すなわち、第１の流路４において、導入口２の下流側に第１の分岐部６が設けられており、第１の分岐部６に、第２の流路５の一端が接続されている。また、第１の分岐部６よりも下流側であって、排出口３よりも上流側に、第２の分岐部７が設けられている。第２の流路５の第１の分岐部６に接続されている端部とは反対側の端部が第２の分岐部７に接続されている。
【００３３】
いま、第１の分岐部６から第２の分岐部７に至る第１の流路部分を流路部分４Ａとする。本実施形態では、この流路部分４Ａの容積が、秤取すべき微量液滴の体積に等しい。すなわち、秤取すべき微量液滴の体積に等しいように、流路部分４Ａの容積が決定されている。
【００３４】
また、第２の流路５はガス選択性流路である。すなわち、微量液滴秤取構造の使用圧力下においてガスは通すが液滴が流入しない流路である。第２の流路５はガス選択性流路であるから、導入口２から第１の流路４に導かれた液滴は、第１の分岐部に至っても第２の流路５には向かわず、流路部分４Ａのみに向かって移動する。
【００３５】
ここでいう使用圧力とは、第２の流路５が接続されている第１の分岐部への液滴先端の通過から気液界面の通過までの間を通じて第１の分岐部が経験する圧力範囲のことであり、通常、圧力マイナス１Ｐａ〜１００Ｐａの範囲を指す。特別な条件でこれより高い圧力になることがあるが、特別な条件でも高々１０ｋＰa程度までの圧力である。なお、ここでいう第１の分岐部の圧力とは、第２の分岐部の圧力を基準とするゲージ圧である。
【００３６】
第２の流路５がガスは通すが液滴が流入しないガス選択性流路であるためには、第２の流路５の内面の全体もしくは少なくとも一部を撥水表面とする方法、第２の流路５が第１の流路に接続さる第１の分岐部および第２の分岐部に連なる第２の流路５の少なくとも一部を第１の流路の流路部分４Ａよりも遥かに小さくする方法等の手段を用いて構成することができる。
【００３７】
ここで、撥水表面とは、水と流路表面との接触角θが５０°＜θ＜１８０°の範囲にある表面をいうものとする。このような撥水表面は、表面を疎水性材料により構成することにより、またサブミクロンレベルの表面構造を付与することにより構成することができる。第２の流路の内面を撥水表面とすることで、微量液滴秤取機構の導入口に微量液滴を導入する圧力では、第２の流路に水が浸入しないように構成することができる。
【００３８】
第２の流路５が第１の流路４に接続される部分の開口径は、通常、０．１μｍ〜４０μｍ程度とされる。第２の流路５が第１の流路４に接続される部分の開口は複数あってもよい。より具体的には、多孔質のメンブレンを介在させて第２の流路５が第１の流路４とを接続してもよい。
【００３９】
第２の流路５の長さについては、５μｍ〜５ｍｍ程度とされる。
【００４０】
なお、第２の流路５においては、流路途中に断面積が広がる拡径部分が設けられていても良いし、バルブ構造が追加されていてもよい。例えば、外部からの操作できる開閉バルブを設けることができる。開閉バルブの種類に制約はないが、簡便に、ガス選択流路に設けられた液体流路でガス選択流路を閉塞する開閉バルブを実現することができる。
【００４１】
本実施形態の微量液滴秤取構造１では、上記流路部分４Ａの容積よりも大きな体積の微量液滴を導入口２から第１の流路４に導く。しかる後、導入口２から図示しないポンプ等によりガスを供給し、それによって導入された微量液滴を移動させる。微量液滴は、第１の流路４に沿って排出口３側に向かって移動するが、第２の流路５がガス選択性流路であるため、第２の流路５の内部には侵入せず、流路部分４Ａを移動する。
【００４２】
微量液滴の後端すなわち末端が第１の分岐部６に至ると、微量液滴を押動しているガスが第２の流路５に流れることになり、第２の分岐部７に至る。その結果、流路部分４Ａから第２の分岐部７を超えて存在している微量液滴は、第２の分岐部７の地点においてガスにより分断されることになる。以後、この分断されて生じた二つの液滴のそれぞれについて、一方の第１の流路４の第１の分岐部６と第２の分岐部７の間の流路部分４Ａにある液滴を秤取液滴、もうひとつの排出口寄りの液滴を秤取残液と呼ぶことにする。第１の分岐部６と第２の分岐部７のガス圧は等しいから、流路部分４Ａの秤取液滴は動かなくなる。さらにガスを供給することにより、第２の分岐部７よりも下流に位置している秤取残液は排出口３から排出される。
【００４３】
その結果、流路部分４Ａに、微量液滴が残存し、流路部分４Ａの容積に等しい体積の微量液滴を秤取することができる。すなわち、微量液滴の導入口２からの導入に引き続きガスを導入口２から導入するだけで、所定量の微量液滴を容易にかつ確実に秤取することができる。
【００４４】
しかも、毛管現象を利用するものではないため、流路部分４Ａの容積を、毛細管現象に引き込み得る液体の体積よりも遥かに大きくすることができる。よって、十分大きな体積の微量液体を微量液滴の導入及びガスの導入といった比較的簡単な操作により、確実に秤取することができる。
【００４５】
なお、流路部分４Ａに秤取された微量液滴を取り出すに際しては、様々な構造を用いることができる。例えば、図１に模式的に示すように、第２の流路５に開閉バルブＶを設けた構造が一例として挙げられる。すなわち、上記微量液滴の秤取に際しては、開閉バルブＶを開状態とし、第２の流路５を開放しておく。上記微量液滴が流路部分４Ａに秤取された後に、開閉バルブＶを閉状態とし、第２の流路５を閉じる。しかる後、導入口２からさらにガスを供給すれば、上記流路部分４Ａに存在する微量液滴を、排出口３側に送液し、排出口３から所定量の微量液滴を取り出すことができる。
【００４６】
もっとも、上記開閉バルブＶを第２の流路に設けた構造に限らず、図２に示す本発明の第２の実施形態に係る微量液滴秤取構造を用いてもよい。図２に示す第２の実施形態の微量液滴秤取構造１Ａでは、第１の実施形態に微量液滴秤取構造１と同様に、導入口２、排出口３、第１の流路４及び第２の流路５が形成されている。さらに、微量液滴秤取構造１Ａでは、流路部分４Ａに、第３の流路８の一端が接続されている。より具体的には、本実施形態では、第１の分岐部６と、第２の分岐部７とを結ぶ流路部分４Ａの流路長さ方向中央位置に第３の分岐部９が設けられており、第３の分岐部９に、第３の流路８の一端が接続されている。第３の流路８は、ラプラスバルブを構成している。
【００４７】
ラプラスバルブとは、気液界面の表面張力に起因するラプラス圧が流体の背圧と釣合うことによって、液体が停止するバルブ構造の総称である。液体が停止していられる背圧の上限値は、ラプラスの法則に従い、気液界面の表面張力と気液界面の曲率半径で決まる。
【００４８】
気液界面の形状がひとつの曲率半径（Ｒ）で表される球面と見做せるとき、ラプラスの式は、背圧（ＰＧ）と気液界面内の張力（σ）とが次の関係式にあることを述べている、すなわち、ＰＧ＝２σ／Ｒと表わされる。任意の形状の気液界面については、直交分離される二つの主曲率半径でその形状を表示できるが、その主曲率半径をそれぞれＲ１、Ｒ２とすると、ラプラス圧は、ＰＧ＝σ（１／Ｒ１＋１／Ｒ２）と近似される。
【００４９】
流路Ｄが矩形断面をもつとき、その矩形の一辺の長さをａ、他辺の長さをｂと表すと、０．５＜ａ／ｂ＜２のとき、Ｒ１=ａ／２、Ｒ２=ｂ／２と近似でき、ＰＧ＝４σ（１／ａ＋１／ｂ）となる。ａ／ｂ＜０．１のとき、ＰＧ＝４σ／ａ と近似され、ａ／ｂ＞１０のとき、ＰＧ＝４σ/ｂ と近似される。ここで、σは、温度依存の物性値で、例えば純水であれば、５℃〜３５℃の範囲で、７０〜７５ｍＮ／ｍ程度である。
【００５０】
なお、第３の流路８の断面形状が矩形ではない場合においても、横断面積をＳ、横断面の周辺長をＬとすれば、ラプラス圧は、おおまかにＰＧ＝σＬ／Ｓと近似される。なお、
４・Ｓ／Ｌ  は水力相当直径と呼ばれる。
【００５１】
より具体的には、ラプラスバルブは、撥水または親水表面をもつ細く絞られた少なくとも１本の流路、または並列化された多数の細絞り流路、または多孔体によって構成できる。細絞り流路の最も狭い径または多孔体の穴の最も狭い径は、４０μｍ以下であることが望ましく、さらに望ましくは、１０μｍ以下である。ラプラスバルブは、堰部、スリット、エンボス、ピラー、スポンジ、微粒子充填、撥水加工等によって構成することもできる。
【００５２】
第３の流路８の第３の分岐部９と反対側の端部は、チャンバー１０に接続されている。チャンバー１０は、流路部分４Ａに秤取された液体を収納し得る容積を有する。図２では、流路部分４Ａの平面積に比べて、チャンバー１０の平面積が小さく図示されているが、実際には、チャンバー１０は、高さ方向寸法が流路部分４Ａよりも大きく、従って、流路部分Ａに秤取された微量液滴を収納する大きさとされている。
【００５３】
第４の流路１１は、チャンバー１０内の空気を排出するためのものであり、第４の流路１１の一端が上記チャンバー１０に、他端が排気口１２に接続されている。第４の流路１１は、ラプラスバルブとして構成されるのが望ましいが、チャンバー１０を更に異なる液体操作要素と接続する場合にあっては、第４の流路１１を敢えてラプラスバルブとしないことがある。
【００５４】
なお、第３の分岐部９の位置は、本実施形態のように、第１の分岐部６と第２の分岐部７との間の流路部分４Ａの長さ方向において中央に位置することが望ましい。それによって、後述するように、第３の流路８から速やかに流路部分４Ａに秤取された微量液滴を秤取することができる。もっとも、第３の分岐部９は、第１の分岐部６側に、あるいは第２の分岐部７側に若干偏らされて設けられていてもよい。
【００５５】
また、第３の流路８と第１の流路の接続部は、開口径が序変されていてもよい。
【００５６】
次に、上記第２の実施形態に係る微量液滴秤取構造１Ａを用いた微量液滴秤取方法を、図３（ａ）〜（ｉ）を参照して説明する。
【００５７】
図３（ａ）は、上記微量液滴秤取構造１Ａの初期状態を示す図である。初期状態では、第１の流路４に、微量液滴及びガスは導入されていない。
【００５８】
次に、導入口２から第１の流路４に、微量液滴１３を導入する。この微量液滴１３の導入は、図示されていないポンプを用いてガス圧で液滴を押す流路を導入口２に接続することにより、あるいは導入口２にシリンジ等の注入手段を連結することにより行い得る。微量液滴１３は、第１の流路４内を、導入口２から排出口３側に向かって移動する。導入する微量液滴１３としては、上記流路部分４Ａの容積よりも大きな体積を有する微量液滴を用いる。
【００５９】
図３（ｂ）〜（ｅ）に示すように、第１の流路４に導入された微量液滴１３は、導入口２から排出口３側に向かって第１の流路４内を移動する。この場合、図３（ｃ）に示すように、第２の流路５内には移動しない。そして、図３（ｅ）に示すように、微量液滴１３の末端１１ａが第１の分岐部６を超えると、微量液滴１３を押動しているガスが第２の流路５に流れることになる。そのため、図３（ｆ）に示すように、第２の分岐部７の位置で第２の流路５から湧出するガスにより、微量液滴１３が分断される。
【００６０】
図３（ｆ）に示すように、第１の分岐部６及び第２の分岐部７のガス圧が等しいため、流路部分４Ａに位置している微量液滴１３Ａは移動せず、分断された下流側の微量液滴部分１３Ｂがガス圧により排出口３に向かって移動する。従って、図３（ｇ）に示すように、微量液滴部分１３Ｂが排出口３から排出されると、第１の流路４の流路部分４Ａに流路部分４Ａの体積に等しい微量液滴１３Ａが秤取されることとなる。
【００６１】
しかる後、排出口３を閉塞する。そして、導入口２から再度ガスを供給すると、このガス圧ＰＧがＰＧ＞２σ／Ｒの関係を満たすとき、第３の流路８に、微量液滴１３Ａが供給されることとなり、チャンバー１０に微量液滴１３Ａが移動する。よって、図３（ｉ）に示すように、秤取された微量液滴１３Ａが最終的にチャンバー１０に移送され秤取される。
【００６２】
なお、上記式において、σは第３の流路８の内面の表面張力（単位はｍＮ／ｍ）を示し、Ｒは曲率半径（単位はｍ）を表す。Ｒは、断面サイズがａ×ｂで、接触角がθのとき、１／Ｒ＝２(１／ａ ＋ １／ｂ) と近似され、ＰＧ＝４σ（１／ａ＋１／ｂ）となる。ここで、ＰＧはゲージにより測定されたガス圧（単位はＰa）である。
【００６３】
すなわち、本実施形態では、第３の流路８が、上記式を満たすように構成されており、言い換えれば、ラプラスバルブを構成している。従って、流路部分４Ａに秤取された微量液滴１３Ａが確実にチャンバー１０に収納され、その後に供給されたガスは第４の流路１１を介して排気口１２から排出される。
【００６４】
なお、チャンバー１０は、秤取された微量液滴１３Ａの移送先の一例である。チャンバー１０に代えて、他の流路や他の流体要素であってもよい。また、前述した図１の実施形態において説明したようにチャンバー１０等の外部に移送する必要がない場合には、第３の流路８及びチャンバー１０等は少なくされてもよい。
【００６５】
図４（ａ）〜（ｆ）は、本発明の第３の実施形態に係る微量液滴秤取構造を説明するための各略図的平面図である。図４（ａ）に示すように、第３の実施形態では、第１の実施形態の微量液滴秤取構造１が２個直列に接続されている。
【００６６】
導入口２に、第１の微量液滴秤取構造１が連ねられており、第１の微量液滴秤取構造１の第１の流路４の下流側端部すなわち排出口３に相当する部分が、後段の微量液滴秤取構造１Ｂの導入口に接続されている。すなわち、２個の微量液滴秤取構造１，１Ｂが直列に接続されている。微量液滴秤取構造１Ｂは微量液滴秤取構造１と同様に構成されている。
【００６７】
このように、本発明においては、複数の微量液滴秤取構造が直列に接続されていてもよい。それによって、以下に述べるように、所定の体積の微量液滴を複数個秤取することができる。
【００６８】
図４（ａ）は初期状態を示す。図４（ｂ）に示すように、導入口２から、微量液滴１３を第１の流路４に導入する。この微量液滴１３としては、微量液滴秤取構造１で秤取される微量液滴量及び微量液滴秤取構造１Ｂで秤取される微量液滴量の合計よりも大きな体積の微量液滴が導入される。導入は、図３に示した微量液滴秤取方法の場合と同様にして行えばよい。
【００６９】
図４（ｂ）及び（ｃ）に示すように、微量液滴１３が、上流側の微量液滴秤取構造１の第１の流路４及び下流側の微量液滴秤取構造１Ｂの第１の流路４を満たすこととなる。しかる後、ガスを導入口２から供給し続けると、図４（ｄ）に示すように、上流側の微量液滴秤取構造１において、ガスが第３の流路５を流れ、第２の分岐部７において、微量液滴１３を分断する。この状態において、第１の分岐部６と第２の分岐部７とが同じ圧力状態となる。
【００７０】
しかる後、さらにガスを供給することにより、下流側の微量液滴秤取構造１Ｂの第１の流路４を微量液滴１３が移動し、さらに図４（ｅ）に示すように、微量液滴秤取構造１Ｂの第１の分岐部６から第２の流路５にガスが流れる。その結果、微量液滴秤取構造１Ｂにおいても、第１の分岐部６と第２の分岐部７の圧力が等しくなり、微量液滴１３が分断される。従って、図４（ｅ）に示す下流側の微量液滴１３Ｃが排出口３から排出され、図４（ｆ）に示すように、微量液滴秤取構造１Ｂにおいても、流路部分４Ａに微量液滴１３Ａが秤取される。その結果、微量液滴秤取構造１，１Ｂにおいて、それぞれ、流路部分４Ａの容積と等しい体積の微量液滴１３Ａ，１３Ａを秤取することができる。
【００７１】
なお、本実施形態においては、微量液滴秤取構造１，１Ｂは同様に構成されているが、異なるように構成されていてもよい。すなわち、微量液滴秤取構造１の流路部分４に対し、微量液滴秤取構造１Ｂの流路部分４の体積を異ならせてもよい。それによって、異なる体積の微量液滴をそれぞれ微量液滴秤取構造１，１Ｂにおいて秤取することができる。
【００７２】
また、本実施形態では、２個の微量液滴秤取構造１，１Ｂを直列に接続したが、３以上の微量液滴秤取構造を直列に接続してもよい。
【００７３】
上述してきた実施形態では、流路部分４Ａの横断面はその流路の長さ方向に沿って一定であるように図示したが、図５（ａ）に示すように、流路部分４Ａの横断面の面積が流路の長さ方向に沿って変化されていてもよい。このように、流路部分４Ａに、流路の横断面の面積が徐々に大きくなる部分を設けた場合には、より大きな体積の微量液滴を秤取することができる。また、流路部分４Ａへの微量液滴の秤取をより速やかに行うことができる。なお、流路長さ方向に沿って横断面の面積が２０％以上変化することが好ましい。それによって、より短い流路長でより多くの秤取ができるようになり、第１の流路４内を液滴が流れるときに生じる圧力損失の不利を回避して、確実な秤取操作を行うことができる。
【００７４】
図５（ｂ）に示すように、流路部分４Ａに至る流路部分４Ｂ及び下流側の流路部分４Ｃを、互いに平行に配置してもよい。また、図５（ｃ）に示すように、流路部分４Ａの平面形状をＶ字型としてもよい。さらに、図５（ｄ）に示すように、第１，第２の分岐部６，７が設けられている部分において、第１の流路４を互いに近接させてもよい。このようにして、流路部分４Ａの体積を大きくすることと第２の流路５の長さを短くすることの両立が可能となる。
【００７５】
図５（ａ）〜（ｄ）に示したように、本発明における第１の流路４の平面形状及び第１の流路部分４Ａの平面形状等は適宜変形することができる。
【００７６】
図６は、本発明の第４の実施形態に係る微量液滴秤取構造を示す模式的平面図である。第４の実施形態の微量液滴秤取構造では、第２の実施形態の微量液滴秤取構造１Ａの導入口２に第４の流路２１の一端が接続されており、第４の流路２１の上流端に試薬収納部２２が接続されている。試薬収納部２２は、試薬導入口２３に第５の流路２４を介して接続されている。第５の流路２４は、液状の試薬を試薬収納部２２に供給し得るように構成されている。試薬導入口２３は、別の流路あるいはシリンジ等に接続される。試薬導入口２３から液状の試薬が第５の流路２４を介して試薬収納部２２に供給される。
【００７７】
なお、試薬収納部２２には、ガス選択性流路である流路２５を介して排気口２６に接続されている。また、試薬収納部２２は、ガス流路２８を介して刺激応答性ガス発生部材２９に接続されている。刺激応答性ガス発生部材２９により発生したガスが、ガス流路２８を介して試薬収納部２２に供給され、導入されている液状の試薬を第４の流路２１を介して導入口２から第１の流路４に導く。
【００７８】
第１の流路４の下流側端部の排出口３は、液体を排出する構造ではなく、ガス選択通過性の第６の流路３０と、第６の流路３０の下流端に接続された開口３１からなる。この第６の流路３０は、微量液滴を通過させず、気体のみを通過させる流路であり、外部からの操作なしに受動的に液体の送液を停止するストップバルブとして働く。このようなストップバルブは、第３の流路９のラプラス圧よりも高いラプラス圧をもつように、第６の流路３０を形成することにより構成される。すなわち、第３の流路９よりも高いラプラス圧をもつように、相対的に細い流路を構成し、端部を大気に開放することにより、上記ストップバルブを構成することができる。ストップバルブが設けられているため、微量液滴秤取構造１の排出口に相当する部分が微量液滴を排出しないように自動的に閉塞される。
【００７９】
従って、本実施形態によれば、微量液滴を流路部分４Ａに秤取した後、ガスが第２の流路５を介して第２の分岐部で微量液滴を分割し、微量液滴の分割の結果生じた秤取残液がガスに押し出されて第１の流路４の下流側に至り、秤取残液が押し出す流路中の空気は上記ストップバルブから逃がされるが、秤取残液はストップバルブで停止し、開口３１には至らない。従って、図３を参照して説明した実施形態における排出口を閉塞する作業が外からの操作なしに自発的に行われ、次いで第１の流路４内のガス圧が高まり、流路部分４Ａに秤取された所定量の微量液滴は第３の流路９のラプラスバルブを介してチャンバー１０に移送される。すなわち、導入口からガス圧により液滴を導入するだけで、所定量の微量液滴の秤取と秤取された微量液滴のチャンバー１０への移送を自動的に行うことができる。
【００８０】
図７は、本発明の第５の実施形態に係る微量液滴秤取構造を示す模式的平面図である。本実施形態では、微量液滴秤取構造１Ｄが、混合チャンバー４１に接続されている。微量液滴秤取構造１Ｄは、図５（ｄ）に示した微量液滴秤取構造と同様に構成されている。異なるところは、第３の流路８の他端が、チャンバー１０ではなく混合チャンバー４１に置き換えられていることにある。混合チャンバー４１には、微量液滴秤取構造１Ｄから前述した第１の実施形態と同様に、流路部分４Ａの容積に等しい微量液滴が供給される。
【００８１】
他方、混合チャンバー４１においては、第２の微量液滴秤取構造４２が接続されている。微量液滴秤取構造４２は、導入口４３と、排出口４４とを結ぶ流路４５を有する。この流路４５の途中に、秤取部４６が接続されている。秤取部４６の容積は、混合チャンバー４１に供給する微量液滴の体積とほぼ等しくされている。秤取部４６の流路４５と接続されている側と反対側の端部が、流路４７により、混合チャンバー４１に接続されている。流路４７は、前述した第３の流路８と同様に構成されている。
【００８２】
このような微量液滴秤取構造４２は、特許文献２に記載のような従来の微量液滴秤取構造と同様に構成されている。従って、秤取部４６に秤取された微量液滴が流路４７を介して、混合チャンバー４１に導かれる。
【００８３】
本実施形態では、秤取部４６に秤取された微量液滴と、上記流路部分４Ａに秤取された微量液滴とが混合チャンバー４１で混合される。よって、流路部分４Ａの容積と、秤取部４６の容積との割合で、２種類の微量液滴を混合チャンバー４１で混合することができる。微量液滴秤取構造１Ｄでは、前述したように、毛細管現象により導き得る微量液滴よりも大きな体積の微量液滴を秤取することができる。従って、本実施形態によれば、秤取部４６と流路部分４Ａとから供給される微量液滴の混合比を、体積比で、１対１０以上とすることができる。
【００８４】
図７に示した実施形態から明らかなように、本発明においては、微量液滴混合部である混合チャンバー４１に、少なくとも２つの微量液滴秤取構造を連結し、そのうち少なくとも１つの微量液滴秤取構造を、本発明に従って構成された微量液滴秤取構造とすることができる。それによって、最も少ない成分に対する最も多い成分の体積比を１０倍以上とするように、複数の成分を混合することができる。
【００８５】
図８は、本発明の第６の実施形態に係るマイクロ流体デバイスの流路構造を示す模式的平面図である。
【００８６】
本実施形態のマイクロ流体デバイスでは、一点鎖線Ａで示す部分が、図７に示した微量液滴秤取構造とほぼ同様に構成されている。従って、同一部分については、同一の参照番号を付することにより、その説明を省略する。なお、本実施形態では、微量液滴秤取構造１Ｄの排出口に代えて、廃液貯留部５１が設けられている。廃液貯留部５１は、排気口５２に排気流路５３を介して接続されている。
【００８７】
また、微量液滴秤取構造４０においては、同じく、排出口４４に代えて、液貯留部５４が設けられており、液貯留部５４が、排気口５５に排気流路５３を介して接続されている。また、微量液滴秤取構造１Ｄの導入口２と流路部分４Ａとの間には、ガス発生部５６がガス供給流路５７を介して接続されている。同様に、混合チャンバー４１の上流側にも、ガス発生部５８が、ガス流路５９を介して接続されている。
【００８８】
上記混合チャンバー４１の下流端は、混合部６０に接続されている。混合部６０は、ミアンダ状の平面形状を有する流路により形成されている。このようなミアンダ状の流路により、混合された微量液滴の滞在時間が長くなる効果と曲がり部毎のせん断流とにより、微量液滴同士の混合が確実に行われる。混合部６０の下流側端部は排出口６１に接続されている。
【００８９】
本実施形態のマイクロ流体デバイスの流路構造では、導入口２から第１の微量液滴を供給し、ガス発生部５６からガスを供給する。それによって、流路部分４Ａで所定量の微量液滴が秤取される。
【００９０】
同様に、微量液滴秤取構造４０において、秤取部４６に所定量の微量液滴が秤取される。これらの２種類の微量液滴が、混合チャンバー４１に供給され、ガス発生部５８により発生したガスにより、混合部６０に送られ、混合される。従って、２種類の微量液滴が混合された微量液滴を排出口６１から取り出すことができる。その場合、ガス発生部５６及び５８からガスを供給するだけで、上記微量液滴１３の供給及び微量液滴同士の混合及び混合された微量液滴の取り出しを自動的に行うことができる。
【００９１】
なお、図８は、本発明の一実施形態のマイクロ流体デバイスの微量液滴の流路構造を示したが、このような流路構造を複数集積化してもよい。
【００９２】
図９は、図８に示した微量液滴流路構造を多数備えたマイクロ流体デバイスの模式的平面図である。マイクロ流体デバイス７１は、基材７２を有する。基材７２は、例えば合成樹脂の積層プレート、あるいは合成樹脂プレートにガラス板等を積層した構造等により得ることができる。この基材７２内に、図示の流路構造が形成されている。図９は、基材７２の上面側から基材を透かし、内部の流路構造を模式的に平面図で示している。
【００９３】
マイクロ流体デバイス７１では、８個の微量液滴秤取構造７３Ａ〜７３Ｈが形成されている。これらのうち、微量液滴秤取構造７３Ａ，７３Ｂ，７３Ｃ，７３Ｆ，７３Ｇ，７３Ｈが本発明の実施形態に係る微量液滴秤取構造である。そして、微量液滴秤取構造７３Ａ，７３Ｂ及び７３Ｃが直列に接続されている。また、微量液滴秤取構造７３Ｃに、微量液滴秤取構造７３Ｄ，７３Ｅ，７３Ｆも直列に接続されている。これらの微量液滴秤取構造７３Ａ〜７３Ｃで順次混合された微量液滴と、微量液滴秤取構造７３Ｄ〜７３Ｆで混合された微量液滴とが、混合チャンバー７４で混合され、混合部７５を介して、反応室７６に供給される。他方、微量液滴秤取構造７３Ｇで秤取された微量液滴も、上記反応室７６に供給される。反応後の微量液滴が混合部７７を介して、混合チャンバー７８に与えられる。混合チャンバー７８においては、微量液滴秤取構造７３Ｈで秤取された微量液滴も供給され、混合される。このようにして、液状の検体の反応物を含む、最終的に混合された微量液滴が、混合部７９を介して、ＰＣＲ部８０に供給されるように構成されている。ＰＣＲ部８０は、温度が６０℃のゾーン８０Ａと、温度が７２℃であるゾーン８０Ｂと、温度が９８℃であるゾーン８０Ｃとが備えられている。従って、複数種の検体や試薬を混合してなる微量液滴を上記ＰＣＲ部８０において加温し、検体を増幅することが可能とされている。
【００９４】
なお、図９に示すマイクロ流体デバイス７１は、本発明の微量液滴秤取構造が適用されるマイクロ流体デバイスのあくまでも一例であることを指摘しておく。このように、本発明の微量液滴秤取構造を複数集積することにより、多くの試薬や検体を取り扱うマイクロ流体分析装置に好適に用いることができる。
【符号の説明】
【００９５】
１，１Ａ，１Ｂ，１Ｄ…微量液滴秤取構造
２…導入口
３…排出口
４…第１の流路
４Ａ，４Ｂ，４Ｃ…流路部分
５…第２の流路
６…第１の分岐部
７…第２の分岐部
８…第３の流路
９…第３の分岐部
１０…チャンバー
１１…第４の流路
１１ａ…末端
１２…排気口
１３…微量液滴
１３Ａ，１３Ｃ…微量液滴
１３Ｂ…微量液滴部分
２１…第４の流路
２２…試薬収納部
２３…試薬導入口
２４…第５の流路
２５…流路
２６…排気口
２８…ガス流路
２９…刺激応答性ガス発生部材
３０…第６の流路
３１…開口
４０…微量液滴秤取構造
４１…混合チャンバー
４２…微量液滴秤取構造
４３…導入口
４４…排出口
４５…流路
４６…秤取部
４７…流路
５１…廃液貯留部
５２…排気口
５３…排気流路
５４…液貯留部
５５…排気口
５６…ガス発生部
５７…ガス供給流路
５８…ガス発生部
５９…ガス流路
６０…混合部
６１…排出口
７１…マイクロ流体デバイス
７２…基材
７３Ａ〜７３Ｈ…微量液滴秤取構造
７４…混合チャンバー
７５…混合部
７６…反応室
７７…混合部
７８…混合チャンバー
７９…混合部
８０…ＰＣＲ部
８０Ａ，８０Ｂ，８０Ｃ…ゾーン
【図１】
2011257238.tif 000003
【図２】
2011257238.tif 000004
【図３】
2011257238.tif 000005
【図４】
2011257238.tif 000006
【図５】
2011257238.tif 000007
【図６】
2011257238.tif 000008
【図７】
2011257238.tif 000009
【図８】
2011257238.tif 000010
【図９】
2011257238.tif 000011